(57)【要約】【課題】簡易な装置構成より編集前後のセル同士をスムーズに接続した状態で再生することが可能な情報再生装置等を提供する。【解決手段】編集直前のセルとそのセル内の終了ＶＯＢユニット１３０との関係を検出し、編集直後のセルとそのセル内の開始ＶＯＢユニット１３１との関係を検出し、その検出結果に基づいて生成された再生用セル情報に基づいて当該直前セルと当該直後セルとを接続して再生する。【選択図】　　　図６
2004127381.tif 000002
【特許請求の範囲】
【請求項１】
一又は複数の第１情報単位により構成されている第２情報単位を一又は複数含んで構成されている第１再生情報と、一又は複数の前記第１情報単位により構成されている前記第２情報単位を一又は複数含んで構成されている第２再生情報と、が予め記録されている記録媒体から前記第２再生情報を前記第１再生情報に接続して再生する情報再生装置において、
前記第１再生情報における最後の前記第１情報単位である最終第１情報単位と当該第１再生情報における最後の前記第２情報単位である最終第２情報単位との関係を検出する第１検出手段と、
前記第２再生情報における最初の前記第１情報単位である開始第１情報単位と当該第２再生情報における最初の前記第２情報単位である開始第２情報単位との関係を検出する第２検出手段と、
前記第１検出手段における検出結果及び前記第２検出手段における検出結果に基づいて、前記第２再生情報を前記第１再生情報に接続して再生するための接続再生情報を生成する生成手段と、
前記生成された接続再生情報に基づいて、前記第１再生情報及び前記第２再生情報を再生する再生手段と、
を備えることを特徴とする情報再生装置。
【請求項２】
請求項１に記載の情報再生装置において、
前記生成手段は、前記最終第１情報単位の再生終了タイミングと前記最終第２情報単位の再生終了タイミングとが不一致であるとき、前記最終第１情報単位に含まれている情報の再生を禁止して前記第２再生情報を前記第１再生情報に接続するように前記接続再生情報を生成することを特徴とする情報再生装置。
【請求項３】
請求項１に記載の情報再生装置において、
前記生成手段は、前記最終第１情報単位の再生終了タイミングと前記最終第２情報単位の再生終了タイミングとが不一致であるとき、前記最終第１情報単位に含まれている情報の再生を許可して前記第２再生情報を前記第１再生情報に接続するように前記接続再生情報を生成することを特徴とする情報再生装置。
【請求項４】
請求項１又は２に記載の情報再生装置において、
前記生成手段は、前記開始第１情報単位の再生開始タイミングと前記開始第２情報単位の再生開始タイミングとが不一致であるとき、前記開始第１情報単位に含まれている情報の再生を禁止して前記第２再生情報を前記第１再生情報に接続するように前記接続再生情報を生成することを特徴とする情報再生装置。
【請求項５】
請求項１又は３に記載の情報再生装置において、
前記生成手段は、前記開始第１情報単位の再生開始タイミングと前記開始第２情報単位の再生開始タイミングとが不一致であるとき、前記開始第１情報単位に含まれている情報の再生を許可して前記第２再生情報を前記第１再生情報に接続するように前記接続再生情報を生成することを特徴とする情報再生装置。
【請求項６】
請求項２から５のいずれか一項に記載の情報再生装置において、
前記最終第２情報単位の属性と、前記開始第２情報単位の属性と、を検出する属性検出手段を更に備え、
前記生成手段は、前記属性検出手段における検出結果に基づき、前記開始第２情報単位の属性が前記終了第２情報単位に接続して再生することが可能な属性であるとき、前記接続再生情報を生成することを特徴とする情報再生装置。
【請求項７】
請求項１から６のいずれか一項に記載の情報再生装置において、
前記開始第１情報単位内には、複数の静止画像により構成される静止画像群が一又は複数含まれていると共に、
前記生成手段は、前記開始第１情報単位内の先頭にある前記静止画像群が予め設定された規格上当該静止画像群として完結していない当該静止画像群である未完結静止画像群であるとき、当該未完結静止画像群に含まれている前記静止画像の一部の再生を禁止しつつ前記第１再生情報と前記第２再生情報とを接続して再生することを特徴とする情報再生装置。
【請求項８】
一又は複数の第１情報単位により構成されている第２情報単位を一又は複数含んで構成されている第１再生情報と、一又は複数の前記第１情報単位により構成されている前記第２情報単位を一又は複数含んで構成されている第２再生情報と、が予め記録されている記録媒体から前記第２再生情報を前記第１再生情報に接続して再生する情報再生方法において、
前記第１再生情報における最後の前記第１情報単位である最終第１情報単位と当該第１再生情報における最後の前記第２情報単位である最終第２情報単位との関係を検出する第１検出工程と、
前記第２再生情報における最初の前記第１情報単位である開始第１情報単位と当該第２再生情報における最初の前記第２情報単位である開始第２情報単位との関係を検出する第２検出工程と、
前記第１検出工程における検出結果及び前記第２検出工程における検出結果に基づいて、前記第２再生情報を前記第１再生情報に接続して再生するための接続再生情報を生成する生成工程と、
前記生成された接続再生情報に基づいて、前記第１再生情報及び前記第２再生情報を再生する再生工程と、
を備えることを特徴とする情報再生方法。
【請求項９】
一又は複数の第１情報単位により構成されている第２情報単位を一又は複数含んで構成されている第１再生情報と、一又は複数の前記第１情報単位により構成されている前記第２情報単位を一又は複数含んで構成されている第２再生情報と、が予め記録されている記録媒体から前記第２再生情報を前記第１再生情報に接続して再生する情報再生装置に含まれるコンピュータを、
前記第１再生情報における最後の前記第１情報単位である最終第１情報単位と当該第１再生情報における最後の前記第２情報単位である最終第２情報単位との関係を検出する第１検出手段、
前記第２再生情報における最初の前記第１情報単位である開始第１情報単位と当該第２再生情報における最初の前記第２情報単位である開始第２情報単位との関係を検出する第２検出手段、
前記第１検出手段における検出結果及び前記第２検出手段における検出結果に基づいて、前記第２再生情報を前記第１再生情報に接続して再生するための接続再生情報を生成する生成手段、及び、
前記生成された接続再生情報に基づいて、前記第１再生情報及び前記第２再生情報を再生する再生手段、
として機能させることを特徴とする情報再生用プログラム。
【請求項１０】
請求項９に記載の情報再生用プログラムが前記コンピュータで読取可能に記録されていることを特徴とする情報記録媒体。
【発明の詳細な説明】
【０００１】
【発明の属する技術分野】
本願は、情報再生装置、情報再生方法及び情報再生用プログラム並びに情報記録媒体の技術分野に属し、より詳細には、二つ以上の再生情報を接続する編集が為された後の当該各再生情報を再生する情報再生装置及び情報再生方法、当該情報再生用プログラム並びに当該情報再生用プログラムが記録された情報記録媒体の技術分野に属する。
【０００２】
【従来の技術】
近年、映画一本分の動画像情報を記録することが可能ないわゆるＤＶＤ（Ｄｉｇｉｔａｌ　　Ｖｅｒｓａｔｉｌｅ　Ｄｉｓｃ）が広く一般化しつつある。ここで、当該ＤＶＤに動画像情報を記録する際の物理フォーマットにおいては、セルなる概念が設けられている。このセルは、記録される動画像情報を分割した一単位であり、ＤＶＤにおいては、各セルを単位として再生処理等におけるアクセスが可能とされている。
【０００３】
ここで、例えば記録可能なＤＶＤにテレビジョン放送の番組を録画した後に、それに含まれていたコマーシャルの部分だけを削除する場合を考えると、当該コマーシャルを削除した後には、そのコマーシャルの直前に記録された動画像情報を含むセル（以下、単に直前セルと称する）とそのコマーシャルの直後に記録された動画像情報を含むセル（以下、単に直後セルと称する）とを連続して再生することとなる。
【０００４】
そしてこの場合、従来では、第一の方法として、直前セルに含まれている動画像情報を構成する最後の静止画像をフレームバッファ等のバッファメモリに取り込んだ後にそのまま静止画像として表示し、その間に直後セルに含まれている動画像情報の復号処理等を実行し、削除したコマーシャル部分の直後に再生すべき静止画像まで復号された時点で現在表示中の静止画像から元の（コマーシャルの直後に再生されるべき）動画像情報の再生処理に戻ることで、表示されるべきでないコマーシャル部分を構成するセルに含まれる動画像情報を非表示としていた。なお、このとき、上記バッファメモリが備えられていない場合には、いわゆるスケルチ処理等によりコマーシャル部分のセルに含まれる動画像情報を非表示状態とする処理を行っていた（例えば、特許文献１参照）。
【０００５】
一方、第二の方法として、上記コマーシャル部分の前後に再生すべき動画像情報が、それらを連続して再生するための態様で符号化されずにＤＶＤに記録されている場合においてその前後のセルを完全に連続接続するときには、例えば復号器を二つの備えた再生装置を用いて再生処理を実行していた（例えば、特許文献２参照）。
【特許文献１】
特開２００１−９４９３８公報（特願平１１−２６９６５９号）
【０００６】
このとき、特開２００１−９４９３８公報には、「異なるファイル間の任意フレームでのシームレス（連続）再生を行う画像再生装置の提供」という目的の下、「ファイル１の最終ＧＯＰ（Ｇｒｏｕｐ　　ｏｆ　　Ｐｉｃｔｕｒｅ。細部は後述）とファイル２の先頭ＧＯＰの再生順序を入れ替え、ファイル１、ファイル２用の各メモリへの書き込みを行い、その際、ファイル１の最終ＧＯＰのＰＴＳ（Ｐｒｅｓｅｎｔａｔｉｏｎ　Ｔｉｍｅ　Ｓｔａｍｐ。細部は後述）の検出を行っておき、各メモリからの読み出し時に、ファイル１の最終ＰＴＳが検出されたら一旦ファイル１のメモリからの読み出しを停止し、ファイル２の先頭ＰＴＳが検出されたら一旦ファイル２のメモリからの読み出しを停止し、双方の読み出しが停止されたら再度双方の読み出しを開始することで、ファイル１の最終ＧＯＰとファイル２の先頭ＧＯＰの同時デコードが可能となり、ファイル１の規定フレームまでの再生とファイル２の規定フレームからの再生を切り替えることで、異なるファイルにおける任意のフレームでのシームレス再生を可能とする」という構成が開示されている。
【特許文献２】
特開２００２−１５７８２０公報（特願２０００−３５５００８号）
【０００７】
このとき、特開２００２−１５７８２０公報には、「編集接続点でのスムーズな再生を可能とし、且つローコストの記録媒体再生装置を提供する」という目的の下、「所定の符号化単位をもって符号化され、記録媒体に記録された記録情報の第１の範囲と第２の範囲を接続して再生可能な記録媒体再生装置において、第１の範囲の後部の記録情報をデコード処理するサブデコーダと、その後部を除く第１の範囲及び第２の範囲の記録情報をデコード処理するメインデコーダとにより当該記録媒体再生装置を構成するという構成が開示されている。
【０００８】
【発明が解決しようとする課題】
しかしながら、上述した第一の従来の方法によると、不要部分の削除後に相隣接することとなるセル間を連続再生する場合、その連続再生用に改めて符号化されたセルでない場合は上述した如く静止画像を一定時間表示し続けることとなるので、結果として各セルを接続する区間では本来動画像であるべきものが静止して見えてしまうという問題点があった。この現象は、上述したバッファメモリ等を用いた連続生成の方法では、直後セルの開始位置と上記物理フォーマットにおいてそのセルの下位に当たる情報単位（一般には、ＶＯＢＵ（Ｖｉｄｅｏ　　Ｏｂｊｅｃｔ　　Ｕｎｉｔ）と称されている。細部は後述）の開始位置とが一致していないとき、当該直後セルの開始位置までの動画像情報の復号処理のための時間が必要となることに起因する。
【０００９】
また、第二の従来の方法においては、連続再生用に符号化されていない動画像情報を含むセルを完全に連続して接続する場合、二つの復号器を用いなければならないため、再生装置として高価となったり、或いは特別な装置構成が必要となると言う問題点があった。
【００１０】
そこで、本願は、上記の各問題点に鑑みて為されたもので、その課題の一例は、例えば、簡易な装置構成より直前セルと直後セルとをスムーズに接続した状態で再生することが可能な情報再生装置及び情報再生方法、当該情報再生用プログラム並びに当該情報再生用プログラムが記録された情報記録媒体を提供することにある。
【００１１】
【課題を解決するための手段】
上記の課題を解決するために、請求項１に記載の発明は、一又は複数の第１情報単位により構成されている第２情報単位を一又は複数含んで構成されている第１再生情報と、一又は複数の前記第１情報単位により構成されている前記第２情報単位を一又は複数含んで構成されている第２再生情報と、が予め記録されている記録媒体から前記第２再生情報を前記第１再生情報に接続して再生する情報再生装置において、前記第１再生情報における最後の前記第１情報単位である最終第１情報単位と当該第１再生情報における最後の前記第２情報単位である最終第２情報単位との関係を検出する第１検出手段と、前記第２再生情報における最初の前記第１情報単位である開始第１情報単位と当該第２再生情報における最初の前記第２情報単位である開始第２情報単位との関係を検出する第２検出手段と、前記第１検出手段における検出結果及び前記第２検出手段における検出結果に基づいて、前記第２再生情報を前記第１再生情報に接続して再生するための接続再生情報を生成する生成手段と、前記生成された接続再生情報に基づいて、前記第１再生情報及び前記第２再生情報を再生する再生手段と、を備える。
【００１２】
上記の課題を解決するために、請求項８に記載の発明は、一又は複数の第１情報単位により構成されている第２情報単位を一又は複数含んで構成されている第１再生情報と、一又は複数の前記第１情報単位により構成されている前記第２情報単位を一又は複数含んで構成されている第２再生情報と、が予め記録されている記録媒体から前記第２再生情報を前記第１再生情報に接続して再生する情報再生方法において、前記第１再生情報における最後の前記第１情報単位である最終第１情報単位と当該第１再生情報における最後の前記第２情報単位である最終第２情報単位との関係を検出する第１検出工程と、前記第２再生情報における最初の前記第１情報単位である開始第１情報単位と当該第２再生情報における最初の前記第２情報単位である開始第２情報単位との関係を検出する第２検出工程と、前記第１検出工程における検出結果及び前記第２検出工程における検出結果に基づいて、前記第２再生情報を前記第１再生情報に接続して再生するための接続再生情報を生成する生成工程と、前記生成された接続再生情報に基づいて、前記第１再生情報及び前記第２再生情報を再生する再生工程と、を備える。
【００１３】
上記の課題を解決するために、請求項９に記載の発明は、一又は複数の第１情報単位により構成されている第２情報単位を一又は複数含んで構成されている第１再生情報と、一又は複数の前記第１情報単位により構成されている前記第２情報単位を一又は複数含んで構成されている第２再生情報と、が予め記録されている記録媒体から前記第２再生情報を前記第１再生情報に接続して再生する情報再生装置に含まれるコンピュータを、前記第１再生情報における最後の前記第１情報単位である最終第１情報単位と当該第１再生情報における最後の前記第２情報単位である最終第２情報単位との関係を検出する第１検出手段、前記第２再生情報における最初の前記第１情報単位である開始第１情報単位と当該第２再生情報における最初の前記第２情報単位である開始第２情報単位との関係を検出する第２検出手段、前記第１検出手段における検出結果及び前記第２検出手段における検出結果に基づいて、前記第２再生情報を前記第１再生情報に接続して再生するための接続再生情報を生成する生成手段、及び、前記生成された接続再生情報に基づいて、前記第１再生情報及び前記第２再生情報を再生する再生手段、として機能させる。
【００１４】
上記の課題を解決するために、請求項１０に記載の発明は、請求項９に記載の情報再生用プログラムが前記コンピュータで読取可能に記録されている。
【００１５】
【発明の実施の形態】
次に、本願に好適な実施の形態について、図面に基づいて説明する。
【００１６】
なお、以下に説明する実施の形態は、例えばコマーシャル部分のみを削除する編集処理が施された上でＤＶＤに記録されている動画像情報について、当該削除されたコマーシャル部分の直前に再生されるべき動画像情報とその直後に再生されるべき動画像情報とを連続して再生する情報再生装置に対して本願を適用した場合の実施の形態である。
【００１７】
（Ｉ）ＤＶＤ規格の実施形態
始めに、実施形態に係る情報再生装置の具体的な実施の形態について説明する前に、実施形態の情報再生装置が対応するＤＶＤ規格、すなわち、編集後の上記動画像情報をＤＶＤに記録する際に用いられた物理フォーマットとしてのＤＶＤ規格について、図１及び図２を用いてその概要を説明する。
【００１８】
なお、図１は当該ＤＶＤ規格における物理フォーマットを示す図であり、図２は当該ＤＶＤ規格における上記ＧＯＰの構成を示す図である。
【００１９】
図１に示すように、ＤＶＤ規格に則って編集処理後の動画像情報が記録されているＤＶＤ１００は、その最内周部にリードインエリアＬＩを有すると共にその最外周部にリードアウトエリアＬＯを有しており、その間に、動画像情報が夫々にＩＤ（識別）番号を有する複数のＶＴＳ（Ｖｉｄｅｏ　　Ｔｉｔｌｅ　Ｓｅｔ）３（ＶＴＳ＃１乃至ＶＴＳ＃ｎ）に分割されて記録されている。
【００２０】
ここで、ＶＴＳとは、一般には、関連する（それに含まれる音声情報及び副映像情報（映画における字幕等の副映像の情報をいう。）の数や、仕様、対応言語等の属性が同じ）タイトル（映画等の、製作者が視聴者に提示しようとする一つの作品）を一まとめにしたセット（纏まり）であり、より具体的には、例えば、一本の同じ映画について、異なる言語のセルフ等を有する複数の映画が夫々にタイトルとして記録されていたり、又は、同じ映画であっても劇場版と特別版とが夫々別のタイトルとして記録されていたりするものである。
【００２１】
また、ＶＴＳ３が記録されている領域の直前には、ビデオマネージャ２が記録される。このビデオマネージャ２として記録される情報であるＶＭＧＩ（Ｖｉｄｅｏ　Ｍａｎａｇｅｒ　Ｉｎｆｏｒｍａｔｉｏｎ）としては、例えば、各タイトルの名前を示すメニューや、違法コピー防止のための情報、又は夫々のタイトルにアクセスするためのアクセステーブル並びにこれらの情報のバックアップ情報等、当該ＤＶＤ１００に記録される動画像情報の全体に係わる情報が含まれている。
【００２２】
更に、ビデオマネージャ２とリードインエリアＬＩとの間には、ＤＶＤ１００に記録されている情報全体を識別するためのボリューム情報４と、ビデオマネージャ２及び各ＶＴＳ３におけるデータのファイル構造を示すファイルシステム情報５と、が記録されている。
【００２３】
次に、一のＶＴＳ３は、コントロールデータ１１を先頭として、夫々にＩＤ番号を有する複数のＶＯＢ１０に分割されて記録されている。ここで、複数のＶＯＢ１０により構成されている部分をＶＯＢセット（ＶＯＢＳ）という。このＶＯＢセットは、ＶＴＳ３を構成する他のデータであるコントロールデータ１１と、動画像情報の実体である複数のＶＯＢ１０の部分とを区別するために当該実体部分についてＶＯＢセットとしたものである。
【００２４】
ＶＴＳ３の先頭に記録されるコントロールデータ１１には、複数の上記セル（詳細は後述する）を組み合わせた論理的区分であるプログラムチェインに関する種々の情報であるＰＧＣＩ（Ｐｒｏｇｒａｍ　　Ｃｈａｉｎ　Ｉｎｆｏｒｍａｔｉｏｎ）等の情報及びそれらのバックアップ情報がＶＴＳＩ（Ｖｉｄｅｏ　　Ｔｉｔｌｅ　Ｓｅｔ　　　Ｉｎｆｏｒｍａｔｉｏｎ）として記録される。また、各ＶＯＢ１０には、制御情報の他に動画像情報の実体部分（制御情報以外の映像又は音声そのもの）が記録される。
【００２５】
更に、一のＶＯＢ１０は、夫々にＩＤ番号を有する複数の第２情報単位としてのセル２０により構成されている。ここで、一のＶＯＢ１０は、複数のセル２０により完結するように構成されており、一のセル２０が二つのＶＯＢ１０に跨がることはない。
【００２６】
次に、一のセル２０は、夫々にＩＤ番号を有する複数の第１情報単位としてのＶＯＢユニット（ＶＯＢＵ）３０により構成されている。ここで、ＶＯＢユニット３０とは、動画像情報を含む単位情報である。
【００２７】
なお、ＤＶＤ規格においては、実施形態に係る編集後の動画像情報においてその編集タイミングに対応するセル２０につき、上記直前セルとしてのセル２０の終端と、当該セル２０に含まれているＶＯＢユニット３０のうち最後のＶＯＢユニット３０に含まれる動画像情報の再生終了タイミングとが一致しないことも許容されている。更に、当該ＤＶＤ規格においては、当該編集タイミングに対応するセル２０につき、上記直後セルとしてのセル２０の始端と、当該セル２０に含まれているＶＯＢユニット３０のうち最初のＶＯＢユニット３０に含まれる動画像情報の再生開始タイミングと、が一致しないことも許容されている。
【００２８】
そして、一のＶＯＢユニット３０は、ＶＯＢユニット３０に含まれているデータ等を制御対象とする制御情報が格納されている制御情報パック（以下、単にＲＤＩ（Ｒｅａｌ−Ｔｉｍｅ　　ｄａｔａ　　Ｉｎｆｏｒｍａｔｉｏｎ）パックと称する。）４１と、映像情報としてのビデオデータ４２と、音声情報としてのオーディオデータ４３と、副映像情報としてのサブピクチャデータ４４とにより構成されている。ここで、ビデオデータ４２としては映像データのみが記録され、オーディオデータ４３としては音声データのみが記録される。また、サブピクチャデータ４４としては副映像としての文字や図形等のグラフィックデータのみが記録される。なお、ＤＶＤ１００に記録可能な音声は８種類であり、記録可能な副映像の種類は３２種類であることが規格上定められている。
【００２９】
また、一のＶＯＢユニット３０において、ＲＤＩパック４１は必ずその先頭に存在するが、ビデオデータ４２、オーディオデータ４３及びサブピクチャデータ４４の夫々は、必ずしもＶＯＢユニット３０中に存在する必要はなく、また、存在する場合にもその数や順序は任意に設定することができる。
【００３０】
ここで、図１に示すビデオデータ４２、オーディオデータ４３及びサブピクチャデータ４４の夫々の区分を一般にパックＰという。
【００３１】
すなわち、一のＶＯＢユニット３０においては、ビデオデータ４２、オーディオデータ４３及びサブピクチャデータ４４が、夫々パックＰに分割されて記録されていることとなり、ビデオデータ４２が記録されているパックＰをビデオパック、オーディオデータ４３が記録されているパックＰをオーディオパック、サブピクチャデータ４４が記録されているパックＰをサブピクチャパックという。更に、各パックＰの先頭に記録されるパックヘッダには、夫々のパックＰに含まれているデータを、ＤＶＤ１００に記録されている情報を再生する実施形態の情報再生装置における後述のトラックバッファから読み出して夫々のバッファへの入力を開始すべき再生時間軸上の読み出し開始時刻を示すＳＣＲ（Ｓｙｓｔｅｍ　Ｃｌｏｃｋ　Ｒｅｆｅｒｅｎｃｅ）と呼ばれる読み出し開始時刻情報が記録される。また、上記各パックＰについては、通常、当該パックＰを更に細分化した記録単位であるパケット毎にビデオデータ４２、オーディオデータ４３又はサブピクチャデータ４４が記録されるが、本実施形態におけるＤＶＤ１００では、一般に一のパックＰが一のパケットにより構成されている。
【００３２】
最後に、ＲＤＩパック４１は、当該パックが記録されている物理的アドレス（Ｐａｃｋ　Ｓｔａｒｔ　　Ｃｏｄｅ）およびＳＣＲなどの情報を有するパックヘッダ、当該パックのシステムヘッダが記録されている物理的アドレス（Ｓｙｓｔｅｍ　Ｈｅａｄｅｒ　Ｓｔａｒｔ　Ｃｏｄｅ）およびデータストリームの属性情報を有するシステムヘッダ及びパケットヘッダと、ＲＤＩの実データを示すＲＤＩデータとにより構成されている。
【００３３】
また、ＲＤＩデータは、ＶＯＢユニット３０における時間情報を有するＲＤＩ一般情報と、当該ＶＯＢユニット３０の表示の際の制御情報を示す表示制御情報（ＤＣＩ：Ｄｉｓｐｌａｙ　　Ｃｏｎｔｒｏｌ　Ｉｎｆｏｒｍａｔｉｏｎ）およびコピー可能か否か等を示す著作権情報（ＣＣＩ：Ｃｏｐｙ　Ｃｏｎｔｒｏｌ　　Ｉｎｆｏｒｍａｔｉｏｎ）を有する制御情報とにより構成される。
【００３４】
更に、ＲＤＩ一般情報は、そのＲＤＩパック４１が含まれているＶＯＢユニット３０の再生時間軸上における再生開始時刻を示すＶＯＢＵ再生開始時刻情報と、当該ＲＤＩパック４１の記録時間を示すＶＯＢＵ記録時間情報とにより構成され、更にまた制御情報は、表示制御情報および著作権情報の有無等を示すステイタス情報と、実際の表示制御情報及び著作権情報とにより構成されている。
【００３５】
更に、一のＶＯＢユニット３０に含まれている全てのビデオデータ４２は、一又は複数の上記ＧＯＰにより構成されている。
【００３６】
更に、上記ＧＯＰは、本実施形態におけるＤＶＤ１００に映像情報を記録する際に採用されている画像圧縮方式であるＭＰＥＧ（Ｍｏｖｉｎｇ　Ｐｉｃｔｕｒｅ　　Ｅｘｐｅｒｔ　　Ｇｒｏｕｐ）２方式の規格において定められている単独で再生可能な最小の画像単位であり、各ＧＯＰの先頭には、当該ＧＯＰに含まれるビデオデータ４２を表示すべき再生時間軸上の再生時刻を示す上記ＰＴＳと呼ばれる再生表示時刻情報が記録される。
【００３７】
ここで、ＭＰＥＧ２方式についてその概要を説明すると、一般に、連続したフレーム画像において、一枚のフレーム画像の前後にあるフレーム画像は、互いに類似し相互関係を有している場合が多い。ＭＰＥＧ２方式はこの点に着目し、数フレームを隔てて転送される複数のフレーム画像に基づき、当該複数のフレーム画像の間に存在する別のフレーム画像を、原画像の動きベクトル等に基づく補間演算にて生成する方式である。この場合、当該別のフレーム画像を記録する場合には、複数のフレーム画像との間における差分及び動きベクトルに関する情報を記録するだけで、再生時には、それらを参照して上記複数のフレーム画像から予測して当該別のフレーム画像を再生することが可能となる。これにより、画像の圧縮記録が可能となるのである。
【００３８】
更に、上記ＧＯＰについて図２を用いてその概要を説明する。なお図２は、一のＧＯＰを構成する複数のフレーム画像の例を示している。図２では、一のＧＯＰ５２が１２枚のフレーム画像から構成されている場合（ＭＰＥＧ２方式では、一のＧＯＰ５２に含まれるフレーム画像数は一定ではない。）を示しているが、この内、符号「Ｉ」で示されるフレーム画像は、Ｉピクチャ（Ｉｎｔｒａ−ｃｏｄｅｄ　　ｐｉｃｔｕｒｅ　：イントラ符号化画像）と呼ばれ、自らの画像のみで完全なフレーム画像を再生することができるフレーム画像をいう。また、符号「Ｐ」で示されるフレーム画像は、Ｐピクチャ（Ｐｒｅｄｉｃｔｉｖｅ−ｃｏｄｅｄ　ｐｉｃｔｕｒｅ：前方予測符号化画像）と呼ばれ、既に復号化されたＩピクチャ又は他のＰピクチャに基づいて補償再生された予測画像との差を復号化する等して生成する予測画像である。また、符号「Ｂ」で示されるフレーム画像は、Ｂピクチャ（Ｂｉｄｉｒｅｃｔｉｏｎａｌｌｙ　　ｐｒｅｄｉｃｔｉｖｅ−ｃｏｄｅｄ　　ｐｉｃｔｕｒｅ：両方向予測符号化画像）といい、既に復号化されたＩピクチャ又はＰピクチャのみでなく、光ディスク等に記録されている時間的に未来のＩピクチャ又はＰピクチャをも予測に用いて再生される予測画像をいう。ここで、図２においては、各ピクチャ間の予測関係（補間関係）を矢印で示している。
【００３９】
なお、実施形態に係るＤＶＤ１００で用いられている一般のＭＰＥＧ２方式においては、夫々のＧＯＰ５２に含まれるデータ量が一定でない可変レート方式を採用している。すなわち、一のＧＯＰ５２に含まれる各ピクチャが、動きの速い動画に対応しており、各ピクチャ間の相関関係が小さい場合には、各ピクチャを構成するためのデータ量が多くなり、従って、一のＧＯＰ５２に含まれるデータ量も多くなる。一方、一のＧＯＰ５２に含まれる各ピクチャが、あまり動きのない動画に対応しており、各ピクチャ間の相関関係が大きい場合には、各ピクチャを構成するためのデータ量も少なくなり、一のＧＯＰ５２に含まれるデータ量も少なくなることとなる。
【００４０】
以上説明した図１に示す階層構造の物理フォーマットにおいて、夫々の区分は、製作者がその意図に応じて自在に区分設定をして記録させるものである。これらの区分毎に予め設定された論理構造（論理フォーマット）に基づいて再生することにより、変化に富んだ種々の再生が可能となるのである。
【００４１】
（ＩＩ）情報再生装置の実施形態
次に、上述してきたＤＶＤ規格に準拠して編集後の動画像情報が記録されているＤＶＤ１００からその編集後の動画像情報を連続して再生する実施形態に係る情報再生装置について、図３乃至図８を用いて説明する。
【００４２】
始めに、実施形態に係る情報再生装置の全体構成について、図３（ａ）を用いて説明する。なお、図３（ａ）は当該情報再生装置全体の構成を示すブロック図である。
【００４３】
図３（ａ）に示すように、実施形態に係る情報再生装置Ｓは、ディスクドライブ１０１と、バッファメモリ１０２と、再生手段としてのデコーダ１０３と、第１検出手段、第２検出手段、生成手段及び属性検出手段としてのＣＰＵ１０４と、メモリ１０５と、Ｄ／Ａ（Ｄｉｇｉｔａｌ／Ａｎａｌｏｇ）コンバータ１０６と、フレームメモリ１０７と、映像セレクタ１０８と、エンコーダ１０９と、バス１１２と、により構成されている。
【００４４】
ここで、上記バッファメモリ１０２、デコーダ１０３、ＣＰＵ１０４、メモリ１０５、ＤＡコンバータ１０６、フレームメモリ１０７、映像セレクタ１０８及びエンコーダ１０９はバス１１２を介して相互に情報の授受が可能となるように接続されている。
【００４５】
上述した構成において、ディスクドライブ１０１は、上述した物理フォーマットにより編集後の動画像情報が記録されているＤＶＤ１００が装填されると、当該ＤＶＤ１００から動画像情報を読み出し、いわゆるストリームデータとしてバッファメモリ１０２に出力する。
【００４６】
これにより、バッファメモリ１０２は、ディスクドライブ１０１から出力されたストリームデータを一時的に記憶し、バス１１２を介したＣＰＵ１０４の制御の下、必要に応じてデコーダ１０３へ出力する。これに加えて、バッファメモリ１０２は、ディスクドライブ１０１とＣＰＵ１０４との間におけるインタフェイスとしての機能をも備えている。
【００４７】
次に、デコーダ１０３は、バッファメモリ１０２上に一時記憶されているストリームデータを、動画像情報としての映像情報及び音声情報等に変換し、当該映像情報についてはフレームメモリ１０７又は映像セレクタ１０８のいずれか一方の入力端子に出力する。また、当該音声情報についてはＤ／Ａコンバータ１０６へ出力する。
【００４８】
一方、フレームメモリ１０７は、デコーダ１０３から出力されてくる映像情報を一時的に記憶し、映像セレクタ１０８の他方の入力端子へ出力する。
【００４９】
そして、映像セレクタ１０８は、デコードされた映像情報とフレームメモリ１０７から出力される映像情報とをバス１１２を介したＣＰＵ１０４の制御の下で必要に応じて切り替え、エンコーダ１０９へ出力する。
【００５０】
そして、エンコーダ１０９は、当該映像情報をアナログ信号であるテレビジョン信号に変換し、画像出力端子１１０を介して図示しないディスプレイ等に出力する。
【００５１】
他方、Ｄ／Ａコンバータ１０６は、デコードされた音声情報をアナログ信号である音声信号に変換し、音声出力端子１１１を介して外部の図示しないスピーカ等に出力する。
【００５２】
そして、これらの処理は、バス１１２を介したＣＰＵ１０４の制御の下で実行されるものであり、当該制御のために必要な情報は、メモリ１０５内に一時的に記憶され必要に応じて読み出される。
【００５３】
なお、以下に説明する実施形態の連続再生処理は、主としてＣＰＵ１０４の制御の元で実行されるものである。
【００５４】
次に、実施形態に係る連続再生処理を実行するに当たって必要な情報再生装置Ｓとしての機能について図３（ｂ）を用いて説明する。なお、図３（ｂ）は、実施形態に係る連続再生処理を実行するための情報再生装置Ｓが備えるべき機能を示す機能ブロック図である。
【００５５】
実施形態に係る連続再生処理を開始するに当たっては、ＤＶＤ１００に既に記録されているディスクセル情報１２１をデータ読込制御機能１２２により最初に読み出す。
【００５６】
ここで、当該ディスクセル情報１２１には、ＤＶＤ１００に記録されている編集後の動画像情報における編集位置を示す情報、すなわち、直前セルの終了位置を示す時刻情報及び当該直前セル内の最後のＶＯＢユニット３０である最終第１情報単位としての終了ＶＯＢユニットの終了位置を示す時刻情報、並びに、直後セルの開始位置を示す時刻情報及び当該直後セル内の最初のＶＯＢユニット３０である開始第１情報単位としての開始ＶＯＢユニットの開始位置を示す時刻情報等が、各編集タイミング毎に含まれている。
【００５７】
より具体的には、データ読込制御機能１２２によりディスクドライブ１０１が制御され、ＤＶＤ１００から読み込まれたストリームデータ（上記ディスクセル情報１２１を含む）がバッファメモリ１０２に蓄積される。
【００５８】
そして、当該蓄積されたディスクセル情報１２１に基づき、再生全体制御機能１２０を含むＣＰＵ１０４の制御の元で再生用セル情報１２３が生成される。
【００５９】
ここで、再生用セル情報１２３には、ＤＶＤ１００に記録されていた編集後の動画像情報を実際に連続再生する際の各セル２０及び各ＶＯＢユニット３０における再生開始タイミング等の制御に関する情報等が、各編集タイミング毎に含まれている。
【００６０】
再生用セル情報１２３が生成されると、次に、再生全体制御機能１２０を含むＣＰＵ１０４の制御の元にあるデコード制御機能１２４により、当該再生用セル情報１２３に含まれるタイミング情報等に基づき、バッファメモリ１０２からデコーダ１０３へのストリームデータの転送が行われて復号処理が実行され、更にフレームメモリ１０７又は映像セレクタ１０８が制御されて動画像情報としての映像や音声の出力が実行される。
【００６１】
次に、図３を用いて構成及び機能を夫々説明した情報再生装置Ｓにおいて実行される実施形態に係る連続再生処理について、具体的に図４乃至図８を用いて説明する。
【００６２】
なお、図４は当該連続再生処理の全体構成及び当該連続再生処理に含まれるデータ読込処理の細部構成を夫々示すフローチャートであり、図５は当該データ読込処理に含まれる再生用セル情報生成処理の細部構成を示すフローチャートであり、図６は当該再生用セル情報生成処理を具体的に例示する図であり、図７は当該連続再生処理に含まれるデコード制御処理の細部構成を示すフローチャートであり、図８は当該デコード制御処理を具体的に例示する図である。
【００６３】
先ず、連続再生処理の全体構成について、図４（ａ）を用いて説明する。
【００６４】
実施形態の連続再生処理は、その全体としては図３（ｂ）に示す再生全体制御機能１２０により制御されるものであり、図４（ａ）に示すように、始めにＤＶＤ１００からのストリームデータの読込処理を上記データ読込制御機能１２２を用いた処理として開始し（ステップＳ１００）、次に、読み込んだストリームデータに基づいて、編集後の動画像情報を連続して再生する処理を上記デコード制御機能１２４を用いて開始し（ステップＳ２００）、実施形態の連続再生の開始処理を終了する。
【００６５】
次に、上記ステップＳ１００の動作の細部を、図４（ｂ）を用いて説明する。
【００６６】
ステップＳ１００によって開始されるデータ読込処理においては、始めに、編集後の動画像情報の各編集タイミング（以下、適宜編集点と称する）における直前セルと直後セルを接続する態様（接続モード）を設定する。
【００６７】
ここで、当該設定される接続モードとしてより具体的には、ＤＶＤ１００において指定されている開始位置及び終了位置の通りに直前セルと直後セルとを接続し、ＤＶＤ規格に準拠した再生処理を行う通常モード、編集点における直前セル内の終了ＶＯＢユニットの終了位置が直前セルの終了位置と一致していないその終了ＶＯＢユニット及び直後セル内の開始ＶＯＢユニットが直後セルの開始位置と一致していないその開始ＶＯＢユニットを削除して再生する擬似シームレス再生モード、並びに編集点における直前セル内の終了ＶＯＢユニットの終了位置が当該直前セルの終了位置と一致していないその終了ＶＯＢユニット及び直後セル内の開始ＶＯＢユニットの開始位置が直後セルの開始位置と一致していないその開始ＶＯＢユニットがあるとき当該終了ＶＯＢユニット及び開始ＶＯＢユニットを含んで再生する擬似シームレス再生モード、の三つの内のいずれかが設定される（ステップＳ１）。
【００６８】
そして、接続モードの設定が完了すると、次に、データ読込制御機能１２２により上記再生用セル情報１２３を生成し（ステップＳ２）、更に生成された再生用セル情報１２３に基づいてＤＶＤ１００から各ＶＯＢユニット３０を読み込む処理を行う（ステップＳ３）。この処理は、具体的には図３（ａ）に示すディスクドライブ１０１からバッファメモリ１０２へ当該ＶＯＢユニット３０を蓄える処理となる。
【００６９】
次に、蓄積中のＶＯＢユニット３０が直前セルの終了ＶＯＢユニットであるか否かを、生成された再生用セル情報に基づいて判定する（ステップＳ４）。
【００７０】
そして、終了ＶＯＢユニットでないときは（ステップＳ４；ＮＯ）、再び上記ステップＳ３に戻ってＶＯＢユニット３０の読み込みを継続する。
【００７１】
一方、ステップＳ４の判定において、終了ＶＯＢユニットであるときは（ステップＳ４；ＹＥＳ）、次に、現在のセル２０の後に有効なセル２０があるか否かを判定する（ステップＳ５）。そして、後続に有効なセル２０が存在する場合には（ステップＳ５；ＹＥＳ）、そのままステップＳ２に戻って上述してきた処理を当該有効なセル２０に対して行い、一方、後続に有効なセル２０がないときは（ステップＳ５；ＹＥＳ）、データ読込処理を終了する。
【００７２】
次に、上記ステップＳ２における再生用セル情報１２３の生成処理について、図５及び図６を用いて詳説する。なお、当該生成処理は、具体的には、図３（ｂ）に示すデータ読込制御機能１２２により、ディスクセル情報１２１を参照して再生用セル情報１２３を生成する処理である。
【００７３】
当該再生用セル情報１２３の生成処理においては、始めに、ＤＶＤ１００からディスクセル情報１２１を読み出し（ステップＳ１０）、次に、当該読み出したディスクセル情報１２１に基づき、現在読み出しているセル２０とその次のセル２０とが、シームレスに符号化されたセル２０であるか否かを確認する（ステップＳ１１）。そして、現在読み出しているセル２０とその次のセル２０とが、図６（ａ）に示すように、直前セルの終了位置と終了ＶＯＢユニット１３０の終了位置とが一致しており、且つ直後セルの開始位置と開始ＶＯＢユニット１３１の開始位置とが一致しており、更にそのセルの接続情報にシームレス符号化された当該セルであることが示されているか否かが判定される（ステップＳ１１）。
【００７４】
なお、図６（ａ）に示す接続関係になる場合としては、元々シームレス再生用に符号化されている動画像情報では、直前・直後セルの終了位置及び開始位置と終了ＶＯＢユニット１３０・開始ＶＯＢユニット１３１の終了位置及び開始位置とは夫々一致していることになる。また、未編集の動画像情報並びに元々セル２０の開始位置及び終了位置がそれに含まれる各ＶＯＢユニット３０の開始位置及び終了位置に一致されている場合（図１に示す場合に相当する）も同じ態様となる。
【００７５】
ステップＳ１１の判定において、当該セルの接続情報にシームレス符号化された当該セルの関係であることが示されているときは（ステップＳ１１；ＮＯ）、その直前セル及び直後セルをそのまま連続再生用のセルに設定する（ステップＳ２６）。
【００７６】
一方、ステップＳ１１の判定において、当該セルの接続情報にシームレス符号化された当該セルの関係であることが示されていないときは（ステップＳ１１；ＹＥＳ）、次に、現在の直前セルの後に有効なセル２０が存在しているか否かを確認する（ステップＳ１２）。そして、有効なセル２０が存在しない場合には（ステップＳ１２；ＮＯ。図６（ｂ）参照）は連続再生すべきセル２０が後に存在しないため、その直前セルをシームレス再生不可能なセルとして設定し（ステップＳ２５）、その直前セルの終了位置をそれまでの動画像情報の終了位置として設定する（ステップＳ２７）。
【００７７】
なお、上述したステップＳ２６の処理を実行した後も同様に上記ステップＳ２７の処理を実行することとなる。
【００７８】
そして、上記ステップＳ２７の処理を行った後は、直後セルの開始位置を連続させる動画像情報の開始位置として設定し（ステップＳ３０）、後述するステップＳ２２に移行する。
【００７９】
他方、ステップＳ１２の判定において、有効なセル２０が後続に存在している場合には（ステップＳ１２；ＹＥＳ）、次に、上述した接続モードの設定が通常モードでないか否かを判定する（ステップＳ１３）。そして、通常モードであれば（ステップＳ１３；ＮＯ）そもそもシームレス再生用の処理が不要であるので、そのまま上記ステップＳ２５に移行する。
【００８０】
一方、ステップＳ１３の判定において、接続モードが通常モードでないときは（ステップＳ１３；ＹＥＳ）、次に、現在の直前セルと次の直後セルが上記いずれかの擬似シームレス再生モードが可能なセル同士であるか否かを判定する（ステップＳ１４）。そして、擬似シームレス再生モードが不可能なセル２０同士であれば（ステップＳ１４；ＮＯ）、シームレス再生用の処理は不可能であるので、そのまま上記ステップＳ２５に移行する。
【００８１】
ここで、擬似シームレス再生モードが可能なセル２０であるか否かの判定は、図４に示すデコーダ１０３における機能制限に依存することとなる。より具体的には、例えば、各セル２０同士が映像情報の符号化方式が同一であるか否か、各セル２０同士が音声情報の符号化方式が同一であるか否か、各セル２０に含まれるサブピクチャ情報の有無やいわゆるパレットが同一であるか否か、いわゆるライン（Ｌｉｎｅ）（クローズドキャプション）情報の有無や属性が同一か否か、各セル２０に含まれる映像情報の解像度が同一であるか否か、等、デコーダ１０３の機能に応じて適応的に判断することとなる。
【００８２】
また、ディスクドライブ１０１のサーチ性能に応じて、バッファメモリ１０２がアンダーフローしないだけ数の連続したＶＯＢユニット３０を含むセル２０であるか否か等の判断を加えても良い。
【００８３】
ここで、特にデコーダ１０３等の機能による制約が少なければ条件は緩和され、一切の制約がなければ常に可能（ステップＳ１４；ＹＥＳ）となる。
【００８４】
他方、ステップＳ１４の判定において、擬似シームレス再生モードが可能なセル２０同士である場合には（ステップＳ１４；ＹＥＳ）、疑似シームレス再生可能なセル２０であることとなるので、その旨を設定する（ステップＳ１５）。
【００８５】
次に、直前セルの終了位置が終了ＶＯＢユニット１３０の終了位置と一致していないかを確認し（ステップＳ１６）、直前セルの終了位置と終了ＶＯＢユニット１３０の終了位置とが一致している場合には（ステップＳ１６；ＮＯ。図６（ａ）左図参照）、その直前セルの終了位置をそのままの動画像情報の終了位置として設定し（ステップＳ２４）、ステップＳ１９へ移行する。
【００８６】
一方、直前セルの終了位置と終了ＶＯＢユニット１３０の終了位置とが一致していない場合には（ステップＳ１６；ＹＥＳ。図６（ｃ）左図参照）、次に、編集点を削除するシームレス再生を行うか否かを判定する（ステップＳ１７）。
【００８７】
ここで、図６（ｃ）左図の場合において、直前セルの終了位置はその直前セルの終了ＶＯＢユニット１３０の途中に設定されている。このとき、図６（ｃ）左図のハッチング部分はその直前セルにおいて編集されて表示されない動画像情報の部分を示している。
【００８８】
そして、ステップＳ１７の判定において、接続モードが編集点を削除する接続モードである場合には（ステップＳ１７；ＹＥＳ）、直前セルの終了位置を終了ＶＯＢユニット１３０の一つ前のＶＯＢユニット３０の終了位置に変更し設定する（ステップＳ１８。図６（ｅ）左図参照）。
【００８９】
他方、ステップＳ１７の判定において、接続モードが編集点を削除する接続モードでない場合には（ステップＳ１７；ＮＯ）、直前セルの終了位置を終了ＶＯＢユニット１３０の終了位置に変更し設定する（ステップＳ２３。図６（ｄ）左図参照）。
【００９０】
次に、ステップＳ１９において、直後セルの開始位置が開始ＶＯＢユニット１３１の開始位置と一致していないかを確認し、直後セルの開始位置と開始ＶＯＢユニット１３１の開始位置とが一致している場合には（ステップＳ１９；ＮＯ。図６（ａ）右図参照）、その直後セルの開始位置をそのまま次に再生する動画像情報の開始位置として設定し（ステップＳ２９）、ステップＳ２２へ移行する。
【００９１】
一方、直後セルの開始位置と開始ＶＯＢユニット１３１の開始位置とが一致していない場合には（ステップＳ１９；ＹＥＳ。図６（ｃ）右図参照）、次に、編集点を削除するシームレス再生を行うか否かを判定する（ステップＳ２０）。
【００９２】
ここで、図６（ｃ）右図の場合において、直後セルの開始位置はその直後セルの開始ＶＯＢユニット１３１の途中に設定されている。このとき、図６（ｃ）右図のハッチング部分はその直後セルにおいて編集されて表示されない動画像情報の部分を示している。
【００９３】
上記ステップＳ２０の判定において、接続モードが編集点を削除する接続モードである場合には（ステップＳ２０；ＹＥＳ）、直後セルの開始位置を開始ＶＯＢユニット１３１の一つ後のＶＯＢユニット３０の開始位置として変更し設定する（ステップＳ２１。図６（ｅ）右図参照）。
【００９４】
他方、ステップＳ２０の判定において、接続モードが編集点を削除する接続モードでない場合には（ステップＳ２０；ＮＯ）、直後セルの開始位置を開始ＶＯＢユニット１３１の開始位置に変更し設定する（ステップＳ２８。図６（ｄ）右図参照）。
【００９５】
ここで、図６（ｄ）は、図６（ｃ）に示す如き直前セル及び直後セルを、編集点を含めるように連続再生する場合の再生用セル情報１２３の例である。すなわち、直前セルの終了位置は終了ＶＯＢユニット１３０の終了位置に変更されており、後続する直後セルの開始位置は開始ＶＯＢユニット１３１の開始位置に変更されている。この場合、ＤＶＤ１００上の編集処理では本来削除されたはずの動画像情報が表示されることになる。
【００９６】
一方、図６（ｅ）は、図６（ｃ）に示す如き直前セル及び直後セルを、編集点を削除するように連続再生する場合の再生用セル情報１２３の例である。すなわち、直前セルの終了位置は終了ＶＯＢユニット１３０の一つ前のＶＯＢユニット３０の終了位置に変更されており、後続する直後セルの開始位置は開始ＶＯＢユニット１３１の次のＶＯＢユニット３０の開始位置に変更されている。この場合、ＤＶＤ１００上の編集処理で削除された動画像情報を含む二つのＶＯＢユニット１３０及び１３１が削除されて非表示となる。
【００９７】
そして、上記ステップＳ２１、Ｓ２８、Ｓ２９又はＳ３０のいずれかが終了した後は、夫々の処理により、直後セルの開始位置及び直前セルの終了位置が確定されているため、これを再生用セル情報１２３として生成し（ステップＳ２２）、再生用セル情報１２３の生成処理を終了する。
【００９８】
次に、上記デコード制御処理（ステップＳ２００）により開始される処理の細部について、図７及び図８を用いて説明する。なお、図７は当該細部処理を示すフローチャートであり、図８は動画像のシームレス再生の態様を例示する図である。
【００９９】
また、図７に示す処理は、具体的には図３（ｂ）に示すデコード制御機能１２４により実現されるものであり、バッファメモリ１０２に蓄えられたストリームデータをデコーダ１０３で復号し、フレームメモリ１０７又は映像セレクタ１０８を制御することにより実施形態の連続再生処理を実現する制御である。
【０１００】
図７に示すように、実施形態のデコード制御処理においては、始めに、デコーダ１０３、Ｄ／Ａコンバータ１０６及びエンコーダ１０９等を初期化しデコード開始に備える（ステップＳ４０）。
【０１０１】
次に、デコーダ１０３へのデータストリームの入力を開始する（ステップＳ４１）。これは再生用セル情報１２３に基づいてバッファメモリ１０２からデコーダ１０３へデータストリームを転送する処理である。
【０１０２】
次に、直後セルの開始位置まで動画像情報を復号し、その復号後の動画像情報に表示切替を行う（ステップＳ４２）。この場合はデコーダ１０３を制御し、その直後セルの開始フレームに到達した時点で映像セレクタ１０８をフレームメモリ１０７から復号後の動画像情報に切り替える処理となる。このとき、フレームメモリ１０２には以前に再生されていた動画像情報における最後の映像等が取り込まれて表示に供されている。
【０１０３】
次に、直前セルの終了位置に到達したか否かの判断を行い（ステップＳ４３）、直前セルの終了位置でない場合（ステップＳ４３；ＮＯ）、再度ステップＳ４３を繰り返して復号処理を継続する。
【０１０４】
一方、直前セルの終了位置に到達したならば（ステップＳ４３；ＹＥＳ）、次に、直前セルと直後セルの接続状態を判定する（ステップＳ４４）。ここで、直前セルと直後セルの接続状態は、再生用セル情報１２３を参照し、シームレス再生可能なセルならばステップＳ４５へ、疑似シームレス再生可能なセル２０ならステップＳ４６へ、シームレス再生が不可能なセル２０ならばステップＳ５０へ移行する。
【０１０５】
そして、ステップＳ４５においては、シームレス再生可能なセル２０の処理を行う。この場合、当該シームレス再生が可能なセル２０は、元々シームレス再生用に符号化されたセル２０同士であるため、必要なセル２０に対するいわゆる乗り越え処理を行うことでシームレス再生する。そして、乗り換え処理が終了したら、元のステップＳ４３へ戻りそのまま復号を継続する。
【０１０６】
他方、ステップＳ４６において、直後セルの開始ＶＯＢユニット１３１がそれ自体では未完結のＧＯＰ（いわゆるオープンＧＯＰ）であるか否かを判定する。そして、未完結のＧＯＰでない（いわゆるクローズドＧＯＰである）場合は（ステップＳ４６；ＮＯ）、そのままステップＳ４８へ以降、一方、未完結のＧＯＰである場合は（ステップＳ４６；ＹＥＳ）、不連続な終了ＶＯＢユニット１３０及び開始ＶＯＢユニット１３１と、が接続されることによって未完結ＧＯＰ内のＢピクチャが本来参照すべきピクチャと異なるピクチャを参照してしまうことで崩れた動画像を表示してしまうことを防止すべく、当該Ｂピクチャを削除する処理を行う（ステップＳ４７。図８（ｃ）タイミングＴ１参照）。
【０１０７】
そして、必要なセル２０間の乗り越え処理を行い（ステップＳ４８）、次に、動画像と音声情報の同期を取り直して全体の同期状態を調整する（ステップＳ４９。図８（ｃ）タイミングＴ３参照）。このステップＳ４９の処理は、不連続な終了ＶＯＢユニット１３０と開始ＶＯＢユニット１３１とが接続されることによって発生する同期ずれを補正するために行うものである。そして、その後は上記ステップＳ４３へ戻り復号を継続する。
【０１０８】
次に、ステップＳ５０以降ではシームレス再生が不可の場合のセル２０の処理を行う。
【０１０９】
すなわち、先ず、直前セルの終了位置のピクチャをフレームメモリ１０７に取得し、表示出力をフレームメモリ１０７に切り替える（ステップＳ５０。図８（ａ）タイミングＴ１、Ｔ２参照））。この処理は動画像情報の最後の画像を静止画像ＣＰとしてフレームメモリ１０７に格納し、映像セレクタ１０８をフレームメモリ１０７側に切り替える処理である。
【０１１０】
そして、復号終了処理を行う（ステップＳ５１）。この処理は、バッファメモリ１０２からデコーダ１０３へのデータストリーム入力を停止させるなどの処理に相当する。
【０１１１】
次に、後続に有効なセル２０があるかどうかを判断し（ステップＳ５２）、存在すれば（ステップＳ５２；ＹＥＳ）ステップＳ４０へ戻って復号処理を始めから繰り返し、存在しなければ（ステップＳ５２；ＮＯ）復号処理を終了する。
【０１１２】
次に、復号された動画像情報と実際の出力画像の関係について、図８を用いて説明する。
【０１１３】
先ず、図８（ａ）に示す場合は、復号開始時の処理とシームレス再生ができないセル２０の接続処理を示す。
【０１１４】
すなわち、当該処理においては、先ず、復号開始時においては、復号開始のためのシーケンス処理を行う。すなわち、デコード開始準備を行い（図８（ａ）タイミングＴ４参照）、開始位置まで復号（図８（ａ）タイミングＴ５参照）し、復号した画像に表示切替を行う（図８（ａ）タイミングＴ６参照）。この処理はデコーダ１０３等を初期化してバッファメモリ１０２からデコーダ１０３へデータストリームを入力する等の制御を行い、開始フレームに到達した時点で映像セレクタ１０８をフレームメモリ１０７から復号した画像に切り替える処理に相当する。
【０１１５】
次に、連続再生不可能なセル２０の接続時には、二つの連続した処理を続けて行う。すなわち、終了処理として、直前セル最終ピクチャで画像をフレームメモリ１０７へ取得し（図８（ａ）タイミングＴ１参照）、静止画像ＣＰとしてのフレームメモリ映像に表示切替を行い（図８（ａ）タイミングＴ２参照）、復号終了処理を行う（図８（ａ）タイミングＴ３参照）。この処理はデコーダ１０３を制御し終了フレームを判断したら、フレームメモリ１０７へ最終ピクチャを取得し、映像セレクタ１０８をフレームメモリ１０７側に切り替えて静止画像ＣＰを表示しつつ、バッファメモリ１０２からのデータストリーム入力を停止するなどの処理に相当する。
【０１１６】
次に、開始処理として、上記復号開始時のシーケンス処理と同じ処理を行う。
【０１１７】
一方、図８（ｂ）はシームレス再生可能なセル２０の接続処理を示す。元々シームレス再生用に符号化されているため、基本的にそのままで問題なく接続できる。
【０１１８】
更に、図８（ｃ）は実施形態の疑似シームレス再生可能なセル２０の接続処理を示す。直後セルの開始ＶＯＢユニット１３１が未完結のＧＯＰか否かを判断し、未完結のＧＯＰならば上記ステップＳ４７の処理を行って（図８（ｃ）タイミングＴ１参照）、参照ミスによる画像の崩れを防止し（図８（ｃ）タイミングＴ２参照）、同期を取り直して（図８（ｃ）タイミングＴ２参照）接続処理が完了する。
【０１１９】
以上説明したように、実施形態に係る情報再生装置Ｓの動作によれば、終了ＶＯＢユニット１３０と直前セルとの関係並びに開始ＶＯＢユニット１３１と直後セルとの関係を検出し、夫々の検出結果に基づいてシームレス再生を行うので、簡易な装置構成より直前セルと直後セルとをスムーズに接続した状態で再生することができる。
【０１２０】
また、終了ＶＯＢユニット１３０の終了位置と直前セルの終了位置とが不一致であるとき又は開始ＶＯＢユニット１３１の開始位置と直後セルの開始位置とが不一致であるとき、終了ＶＯＢユニット１３０又は開始ＶＯＢユニット１３１の再生を禁止する構成の場合は、編集者の意図に沿って夫々を接続再生することができる。
【０１２１】
更に、終了ＶＯＢユニット１３０の終了位置と直前セルの終了位置とが不一致であるとき又は開始ＶＯＢユニット１３１の開始位置と直後セルの開始位置とが不一致であるとき、終了ＶＯＢユニット１３０又は開始ＶＯＢユニット１３１を含めて再生する構成の場合は、動画像情報をもれなく再生しつつ接続再生することができる。
【０１２２】
更にまた、直前セルと直後セルの属性を夫々検出し、その検出結果に応じて接続するので、不自然な再生状態となることなく接続して再生することができる。
【０１２３】
なお、上述した実施形態では、ディスクドライブ１０１としては、例えばＨＤＤ（Ｈａｒｄ　Ｄｉｓｃ　Ｄｒｉｖｅ）でもよいし、ＤＶＤ−ＲＡＭ（ＤＶＤ‐Ｒａｎｄｏｍ　Ａｃｃｅｓｓ　Ｍｅｍｏｒｙ）でもよく、ＭＰＥＧ２規格に則ったデータストリームを蓄え得る全てのメディアに適用可能である。
【０１２４】
更に、上述した実施の形態ではセル２０とＶＯＢユニット３０を含む管理情報を用いて説明したが、独自フォーマットのファイルシステムであっても、ＭＰＥＧ規格に則ったデータストリームを、ＧＯＰ単位以下に分割した形で記録又は編集して再生する機器で有れば同様に適用可能である。
【０１２５】
更にまた、図４、図５又は図７に示すフローチャートに対応するプログラムをフレキシブルディスク又はハードディスク等の情報記録媒体に記録しておき、或いはインターネット等のネットワークを介して取得して記録しておき、これを汎用のマイクロコンピュータ等により読み出して実行することで、当該マイクロコンピュータ等を実施形態のＣＰＵ１０４として機能させることも可能である。
【図面の簡単な説明】
【図１】ＤＶＤ規格における物理的記録フォーマットを示す図である。
【図２】ＤＶＤ規格におけるＧＯＰの構成を示す図である。
【図３】実施形態の情報再生装置の概要構成を示す図であり、（ａ）は当該概要構成を示すブロック図であり、（ｂ）はその機能ブロック図である。
【図４】実施形態の連続再生処理を示すフローチャートであり、（ａ）は全体構成を示すフローチャートであり、（ｂ）はデータ読込処理を示すフローチャートである。
【図５】実施形態の再生用セル情報の生成処理を示すフローチャートである。
【図６】実施形態の連続処理を示す図であり、（ａ）は第一の例を示す図であり、（ｂ）は第二の例を示す図であり、（ｃ）は第三の例を示す図であり、（ｄ）は第四の例を示す図であり、（ｅ）は第五の例を示す図である。
【図７】実施形態のデコード制御処理を示すフローチャートである。
【図８】実施形態の再生制御例を示す図であり、（ａ）は第一の例を示す図であり、（ｂ）は第二の例を示す図であり、（ｃ）は第三の例を示す図である。
【符号の説明】
Ｓ…情報再生装置
１００…ＤＶＤ
１０１…ディスクドライブ
１０２…バッファメモリ
１０３…デコーダ
１０４…ＣＰＵ
１０５…メモリ
１０６…Ｄ／Ａコンバータ
１０７…フレームメモリ
１０８…映像セレクタ
１０９…エンコーダ
１１２…バス
１３０…終了ＶＯＢユニット
１３１…開始ＶＯＢユニット
【図１】
2004127381.tif 000003
【図２】
2004127381.tif 000004
【図３】
2004127381.tif 000005
【図４】
2004127381.tif 000006
【図５】
2004127381.tif 000007
【図６】
2004127381.tif 000008
【図７】
2004127381.tif 000009
【図８】
2004127381.tif 000010
【手続補正書】
【提出日】平成14年10月3日(2002.10.3)
【手続補正１】
【補正対象書類名】図面
【補正対象項目名】全図
【補正方法】変更
【補正の内容】
【図１】
2004127381.tif 000011
【図２】
2004127381.tif 000012
【図３】
2004127381.tif 000013
【図４】
2004127381.tif 000014
【図５】
2004127381.tif 000015
【図６】
2004127381.tif 000016
【図７】
2004127381.tif 000017
【図８】
2004127381.tif 000018